【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
吐出口からインクを吐出するための熱エネルギーを発生する発熱部が設けられたサーマルインクジェットヘッドを具備し、且つ、インクを収容するインクカートリッジであって、
該発熱部が該インクと接する面に、珪素の窒化物又は炭化物を含有する保護層を有し、
該インクが、該保護層を溶解する物質と下記一般式（１）で示される化合物を含有し、且つ、該下記一般式（１）で示される化合物のインク中の含有量Ｘ（質量％）が１≦Ｘ≦３０を満足することを特徴とするインクカートリッジ。
一般式（１）
Ｒ１−Ａ−Ｒ２
（式中、Ａは、−Ｓ−、−Ｓ（＝Ｏ）−及び−Ｓ（＝Ｏ）２−からなる群より選ばれる基を示し、Ｒ１及びＲ２は、それぞれ独立に、水素原子、水酸基、アルキル基、ヒドロキシアルキル基、アルケニル基、アシル基、カルバモイル基、カルボキシル基及びスルホニル基からなる群より選ばれる基を示す。）
【請求項２】
前記Ｒ１及びＲ２が、それぞれ独立に、ヒドロキシアルキル基である請求項１に記載のインクカートリッジ。
【請求項３】
前記Ｒ１及びＲ２が、ヒドロキシエチル基である請求項２に記載のインクカートリッジ。
【請求項４】
前記保護層を溶解する物質が、下記化合物（１）、下記化合物（２）、下記一般式（２）で表される化合物、下記一般式（３）で表される化合物、多価カルボン酸及びこれらの塩からなる群より選ばれる少なくとも一つを含有する請求項１乃至３の何れか１項に記載のインクカートリッジ。
【化１】
2008173965.tif 000001
【化２】
2008173965.tif 000002
【化３】
2008173965.tif 000003
（一般式（２）中、Ｘ１、Ｘ２、Ｘ３、及びＸ４はそれぞれ独立に、−ＳＯ−Ｚ、−ＳＯ２−Ｚ、−ＳＯ２ＮＲ１Ｒ２、スルホン酸基、−ＣＯＮＲ１Ｒ２、又は−ＣＯ２Ｒ１である。ここで、Ｚはそれぞれ独立に、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換の複素環基であり、Ｒ１及びＲ２はそれぞれ独立に、水素原子、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換の複素環基である。又、Ｙ１、Ｙ２、Ｙ３、Ｙ４、Ｙ５、Ｙ６、Ｙ７、及びＹ８はそれぞれ独立に、水素原子、ハロゲン原子、置換若しくは無置換のアルキル基、置換若しくは無置換のアリール基、シアノ基、置換若しくは無置換のアルコキシ基、アミド基、ウレイド基、スルホンアミド基、置換若しくは無置換のカルバモイル基、置換若しくは無置換のスルファモイル基、置換若しくは無置換のアルコキシカルボニル基、カルボキシル基、又はスルホン酸基であり、ａ１、ａ２、ａ３、及びａ４はそれぞれ、Ｘ１、Ｘ２、Ｘ３、及びＸ４の置換基の数を示し、それぞれ独立に１又は２の整数である。）
【化４】
2008173965.tif 000004
（一般式（３）中、Ｒ１、Ｒ２、Ｙ１及びＹ２はそれぞれ独立に、一価の基であり、Ｘ１及びＸ２はそれぞれ独立に、ハメットのσｐ値が０．２０以上の電子吸引性基であり、Ｚ１及びＺ２はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍは、水素原子、アルカリ金属、アンモニウム、又は有機アンモニウムである。）
【請求項５】
前記保護層を溶解する物質が、多価カルボン酸及びその塩であり、且つ、該多価カルボン酸及びその塩のインク中の含有量Ｙ（ｍｍｏｌ／ｌ）が、前記Ｘとの関係において、０．００１≦Ｙ≦０．０２Ｘ＋０．０９を満足する請求項４に記載のインクカートリッジ。
【請求項６】
前記多価カルボン酸及びその塩がクエン酸及びその塩である請求項４又は５に記載のインクカートリッジ。
【請求項７】
前記保護層を溶解する物質が、該化合物（１）、該化合物（２）、該一般式（２）で表される化合物、該一般式（３）で表される化合物からなる群より選ばれる少なくとも一つの化合物である請求項４に記載のインクカートリッジ。
【請求項８】
前記保護層の厚さが、５０ｎｍ以上５００ｎｍ以下である請求項１乃至７の何れか１項に記載のインクカートリッジ。
【請求項９】
前記サーマルインクジェットヘッドがインク液室を有し、前記保護層のインクと接する部分の表面積に対するインク液室の容積の割合が５０μｍ３／μｍ２以下である請求項１乃至８の何れか１項に記載のインクカートリッジ。
【請求項１０】
吐出口からインクを吐出するための熱エネルギーを発生する発熱部が設けられ、該発熱部が該インクと接する面に、珪素の窒化物又は炭化物を含有する保護層を有するサーマルインクジェットヘッド用のインクであって、
該保護層を溶解する物質と下記一般式（１）で示される化合物を含有し、且つ、該下記一般式（１）で示される化合物のインク中の含有量Ｘ（質量％）が１≦Ｘ≦３０を満足することを特徴とするインク。
一般式（１）
Ｒ１−Ａ−Ｒ２
（式中、Ａは、−Ｓ−、−Ｓ（＝Ｏ）−及び−Ｓ（＝Ｏ）２−からなる群より選ばれる基を示し、Ｒ１及びＲ２は、それぞれ独立に、水素原子、水酸基、アルキル基、ヒドロキシアルキル基、アルケニル基、アシル基、カルバモイル基、カルボキシル基及びスルホニル基からなる群より選ばれる基を示す。）
【請求項１１】
前記Ｒ１及びＲ２が、それぞれ独立に、ヒドロキシアルキル基である請求項１０に記載のインク。
【請求項１２】
前記Ｒ１及びＲ２が、ヒドロキシエチル基である請求項１１に記載のインク。
【請求項１３】
前記保護層を溶解する物質が、下記化合物（１）、下記化合物（２）、下記一般式（２）で表される化合物、下記一般式（３）で表される化合物、多価カルボン酸及びこれらの塩からなる群より選ばれる少なくとも一つを含有する請求項１０乃至１２の何れか１項に記載のインク。
【化５】
2008173965.tif 000005
【化６】
2008173965.tif 000006
【化７】
2008173965.tif 000007
（一般式（２）中、Ｘ１、Ｘ２、Ｘ３、及びＸ４はそれぞれ独立に、−ＳＯ−Ｚ、−ＳＯ２−Ｚ、−ＳＯ２ＮＲ１Ｒ２、スルホン酸基、−ＣＯＮＲ１Ｒ２、又は−ＣＯ２Ｒ１である。ここで、Ｚはそれぞれ独立に、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換の複素環基であり、Ｒ１及びＲ２はそれぞれ独立に、水素原子、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換の複素環基である。又、Ｙ１、Ｙ２、Ｙ３、Ｙ４、Ｙ５、Ｙ６、Ｙ７、及びＹ８はそれぞれ独立に、水素原子、ハロゲン原子、置換若しくは無置換のアルキル基、置換若しくは無置換のアリール基、シアノ基、置換若しくは無置換のアルコキシ基、アミド基、ウレイド基、スルホンアミド基、置換若しくは無置換のカルバモイル基、置換若しくは無置換のスルファモイル基、置換若しくは無置換のアルコキシカルボニル基、カルボキシル基、又はスルホン酸基であり、ａ１、ａ２、ａ３、及びａ４はそれぞれ、Ｘ１、Ｘ２、Ｘ３、及びＸ４の置換基の数を示し、それぞれ独立に１又は２の整数である。）
【化８】
2008173965.tif 000008
（一般式（３）中、Ｒ１、Ｒ２、Ｙ１及びＹ２はそれぞれ独立に、一価の基であり、Ｘ１及びＸ２はそれぞれ独立に、ハメットのσｐ値が０．２０以上の電子吸引性基であり、Ｚ１及びＺ２はそれぞれ独立に、水素原子、置換若しくは無置換のアルキル基、置換若しくは無置換のアルケニル基、置換若しくは無置換のアルキニル基、置換若しくは無置換のアラルキル基、置換若しくは無置換のアリール基、又は置換若しくは無置換のヘテロ環基であり、Ｍは、水素原子、アルカリ金属、アンモニウム、又は有機アンモニウムである。）
【請求項１４】
前記保護層を溶解する物質が、多価カルボン酸及びその塩であり、且つ、該多価カルボン酸及びその塩のインク中の含有量Ｙ（ｍｍｏｌ／ｌ）が、前記Ｘとの関係において、０．００１≦Ｙ≦０．０２Ｘ＋０．０９を満足する請求項１３に記載のインク。
【請求項１５】
前記多価カルボン酸及びその塩がクエン酸及びその塩である請求項１３又は１４に記載のインク。
【請求項１６】
前記保護層を溶解する物質が、該化合物（１）、該化合物（２）、該一般式（２）で表される化合物、該一般式（３）で表される化合物からなる群より選ばれる少なくとも一つの化合物である請求項１３に記載のインク。
【請求項１７】
前記吐出口と発熱部が対向するように配置されている請求項１乃至９の何れか１項に記載のインクカートリッジ。
【手続補正２】
【補正対象書類名】明細書
【補正対象項目名】００１６
【補正方法】変更
【補正の内容】
【００１６】
上記に挙げた目的は、下記の本発明によって達成される。即ち、本発明は、吐出口からインクを吐出するための熱エネルギーを発生する発熱部が設けられたサーマルインクジェットヘッドを具備し、且つ、インクを収容するインクカートリッジであって、該発熱部が該インクと接する面に、珪素の窒化物又は炭化物を含有する保護層を有し、該インクが、該保護層を溶解する物質と下記一般式（１）で示される化合物を含有し、且つ、該下記一般式（１）で示される化合物のインク中の含有量Ｘ（質量％）が１≦Ｘ≦３０を満足することを特徴とするインクカートリッジである。
一般式（１）
Ｒ１−Ａ−Ｒ２
（式中、Ａは、−Ｓ−、−Ｓ（＝Ｏ）−及び−Ｓ（＝Ｏ）２−からなる群より選ばれる基を示し、Ｒ１及びＲ２は、それぞれ独立に、水素原子、水酸基、アルキル基、ヒドロキシアルキル基、アルケニル基、アシル基、カルバモイル基、カルボキシル基及びスルホニル基からなる群より選ばれる基を示す。）
【手続補正３】
【補正対象書類名】明細書
【補正対象項目名】００１７
【補正方法】変更
【補正の内容】
【００１７】
又、本発明は、吐出口からインクを吐出するための熱エネルギーを発生する発熱部が設けられ、該発熱部が該インクと接する面に、珪素の窒化物又は炭化物を含有する保護層を有するサーマルインクジェットヘッド用のインクであって、該保護層を溶解する物質と下記一般式（１）で示される化合物を含有し、且つ、該下記一般式（１）で示される化合物のインク中の含有量Ｘ（質量％）が１≦Ｘ≦３０を満足することを特徴とするインク。
一般式（１）
Ｒ１−Ａ−Ｒ２
（式中、Ａは、−Ｓ−、−Ｓ（＝Ｏ）−及び−Ｓ（＝Ｏ）２−からなる群より選ばれる基を示し、Ｒ１及びＲ２は、それぞれ独立に、水素原子、水酸基、アルキル基、ヒドロキシアルキル基、アルケニル基、アシル基、カルバモイル基、カルボキシル基及びスルホニル基からなる群より選ばれる基を示す。）